(57)【特許請求の範囲】
【請求項１】
毛を引き抜くための脱毛ヘッドを駆動用のモータを内蔵する本体に対して着脱自在とした脱毛装置であって、脱毛ヘッドは回転動作によって毛を引き抜く回転シリンダーと、上記モータの回転を回転シリンダーに伝達するためのギア列と、本体に脱毛ヘッドを装着した際に上記モータの回転を上記ギア列に伝える回転入力部と、これら回転シリンダーとギア列及び回転入力部を支持している基台とをケーシング内に配したもので、上記基台は、上記ケーシングに対して回転シリンダーを肌に押し付ける方向にばねで付勢されてフロート支持されており、本体に設けられて上記モータの回転を出力する回転出力部と、脱毛ヘッドに設けられて上記回転出力部からモータの回転を受ける上記回転入力部とは、その軸方向が上記フロート方向とされているとともに、該軸方向に摺動自在に係合していることを特徴とする脱毛装置。
【請求項２】
毛を引き抜くための脱毛ヘッドを駆動用のモータを内蔵する本体に対して着脱自在とした脱毛装置であって、脱毛ヘッドは回転動作によって毛を引き抜く回転シリンダーと、上記モータの回転を回転シリンダーに伝達するためのギア列と、上記モータの回転を上記ギア列に伝える回転入力部と、これら回転シリンダーとギア列及び回転入力部を支持している基台とをケーシング内に配したもので、上記基台は、上記ケーシングに対して回転シリンダーを肌に押し付ける方向にばねで付勢されてフロート支持されており、本体に設けられて上記モータの回転を出力する回転出力部と、脱毛ヘッドに設けられて上記回転出力部からモータの回転を受ける上記回転入力部とは、その軸方向が上記フロート方向とされているとともに、上記回転入力部と一体に回転するギアと、上記ギア列とが上記軸方向に摺動自在に噛み合っていることを特徴とする脱毛装置。
【発明の詳細な説明】
【０００１】
【発明の属する技術分野】
本発明は体毛を脱毛するための脱毛器具に関するものである。
【０００２】
【従来の技術】
特願平１１−２７３３９７号や米国特許第４９６０４２２号明細書には、掃除性を良くしたり、切断ヘッドへの交換を可能とするために脱毛ヘッドを本体に対して着脱自在にしたものが示されている。前者は切断ヘッドと脱毛ヘッドを切り替えるために、脱毛ヘッドを本体ケーシングに着脱可能としている。このとき、本体ケーシングに設けた歯車と脱毛ヘッドに設けた歯車とが噛み合って脱毛ヘッド内の脱毛手段を備えた回転シリンダーを回転駆動させるようにしている。
【０００３】
後者も同様に、本体ケーシングに設けた歯車と脱毛ヘッドに設けた歯車とが噛み合って回転シリンダーを回転駆動させるようにしている。
【０００４】
また回転シリンダーが駆動ケースとともに本体ケーシングに対してフロート可能としたものに、特公平７−１７７９２７号公報に記載のものがある。この脱毛装置は回転シリンダーとモータを内蔵した駆動ケースを本体ケーシングに対して、肌の押し付け方向と回転シリンダーの回転軸方向にフロート自在としている。
【０００５】
【発明が解決しようとする課題】
しかし、脱毛ヘッドを本体に取り付けた時に歯車同士が噛み合うようにした場合、脱毛ヘッド内に設けた歯車も本体ケーシングに設けた歯車も、共に複数の部品で軸支された歯車であるために、軸間距離をあわせることが難しかったり、駆動負荷によって本体内で駆動部から振動が発生して本体ケーシングに振動伝搬され騒音や振動が発生するという問題を有している。
【０００６】
また、回転シリンダーとモーターを内蔵した駆動ケースを本体ケーシング内でフロート支持すると、騒音は小さくすることができるが、モータから回転シリンダーに至る部材を全て本体ケーシング内で浮かせることになるために、本体が大型化してしまうという問題があった。
【０００７】
本発明はこのような点に鑑みなされたものであって、その目的とするところは脱毛ヘッドが本体ケーシングに対して着脱自在であるものにおける振動や駆動音を小さくできる上に本体の小型化も可能な脱毛装置を提供するにある。
【０００８】
【課題を解決するための手段】
上記課題を解決するために本発明に係る脱毛装置は、毛を引き抜くための脱毛ヘッドを駆動用のモータを内蔵する本体に対して着脱自在とした脱毛装置であって、脱毛ヘッドは回転動作によって毛を引き抜く回転シリンダーと、上記モータの回転を回転シリンダーに伝達するためのギア列と、本体に脱毛ヘッドを装着した際に上記モータの回転を上記ギア列に伝える回転入力部と、これら回転シリンダーとギア列及び回転入力部を支持している基台とをケーシング内に配したもので、上記基台は、上記ケーシングに対して回転シリンダーを肌に押し付ける方向にばねで付勢されてフロート支持されており、本体に設けられて上記モータの回転を出力する回転出力部と、脱毛ヘッドに設けられて上記回転出力部からモータの回転を受ける上記回転入力部とは、その軸方向が上記フロート方向とされているとともに、該軸方向に摺動自在に係合していることに特徴を有している。
【０００９】
また本発明に係る脱毛装置は、毛を引き抜くための脱毛ヘッドを駆動用のモータを内蔵する本体に対して着脱自在とした脱毛装置であって、脱毛ヘッドは回転動作によって毛を引き抜く回転シリンダーと、上記モータの回転を回転シリンダーに伝達するためのギア列と、上記モータの回転を上記ギア列に伝える回転入力部と、これら回転シリンダーとギア列及び回転入力部を支持している基台とをケーシング内に配したもので、上記基台は、上記ケーシングに対して回転シリンダーを肌に押し付ける方向にばねで付勢されてフロート支持されており、本体に設けられて上記モータの回転を出力する回転出力部と、脱毛ヘッドに設けられて上記回転出力部からモータの回転を受ける上記回転入力部とは、その軸方向が上記フロート方向とされているとともに、上記回転入力部と一体に回転するギアと、上記ギア列とが上記軸方向に摺動自在に噛み合っていることに第２の特徴を有している。
【００１０】
【発明の実施の形態】
以下、図に示す実施形態の一例に基づいて説明すると、図示例の脱毛装置は、手で把持することができるサイズに形成しているとともに駆動源であるモータ１１を内蔵している本体ケーシング１上に、脱毛のための脱毛爪を備えた回転シリンダー４と該回転シリンダー４に回転を伝達するための部材とを内蔵した脱毛ヘッド１Ｈを設けたもので、回転シリンダー４の軸回り回転に伴って脱毛手段である脱毛爪が毛を挟持して引き抜くものとなっている。
【００１１】
前面にスイッチ１０１が配されている本体ケーシング１は図３に示すように前後に２つ割りした半割ケーシング１０，１０を接合したもので、上端開口部はモータケース１２によって閉じられており、本体ケーシング１の下端には給電用のプラグ１００を備えている。なお、本体ケーシング１に電源である電池を内蔵したものであってもよい。
【００１２】
本体ケーシング１内に配設固定されているモータケース１２は、その下面側にモータ１１が固定されているもので、上面には左右一対のスライド枠２６，２６が配されている。モータ１１の回転軸１１ａには異形断面となっている回転係合部１３が圧入固定されている。
【００１３】
平面視略矩形をした各スライド枠２６は、内側片部の内面にフック２６ａを備えるほか、ストッパ用突部２６ｂを突出したもので、モータケース１２に設けたトンネル部１２ａにスライド自在にはめ込まれた時、ストッパ用突部２６ｂをモータケース１２に係合させることで、トンネル部１２ａに装着される。ストッパ用突部２６ｂで抜け止めされた一対のスライド枠２６，２６間にはスプリング２７ｄを介在させており、このためにスプリング２７ｄによって両スライド枠２６，２６は外側に向けて弾性付勢されている。そして両スライド枠２６の外側端部は本体ケーシング１に設けた孔１０ａを通じて本体ケーシング１の外側方に突出する。
【００１４】
次に脱毛ヘッド１Ｈであるが、これは図４〜図６に示すように、回転シリンダー４と回転シリンダー４を軸支する基台８，９、歯車基台８１，９１、基台カバー９２、脱毛ケーシング３、カバーフレーム３１、釦基台６、そして回転伝達用のギア列で構成されている。
【００１５】
軸方向において２つ割となっている回転シリンダー４は図７及び図８に示すように、円周方向に複数個（実施形態では４５°の間隔を置いて８箇所）の凹部４ａを備えて、各凹部４ａ内に脱毛用主体ユニット３２が嵌め込まれているもので、ここにおける脱毛用主体ユニット３２は図９に示すように、支点板３３と、複数（実施形態では４枚）の可動爪５ａと、各可動爪５ａと対をなす複数の固定爪３６（実施形態では４枚で２枚の固定爪３６が一体に形成されている）と支点止め部材３４とで構成されている。支点板３３は中央部に支点止め嵌め込み用角孔３３ａを備え、その両側に支点止め嵌め込み用角孔３３ｂを備え、支点止め嵌め込み用角孔３３ａと両支点止め嵌め込み用角孔３３ｂとの間と、両支点止め嵌め込み用角孔３３ｂの各外方に、それぞれ可動爪嵌め込み用角孔３３ｃを備えている。そして両側に位置する支点止め部材３４によって固定爪３６も支点板３３に固定されている。また、支点止め部材３４には長手方向に孔３４ｄを設けてあり、図１０に示すように、支点止め部材３４と可動爪５ａとに挿通された軸４１によって支点止め部材３４と可動爪５ａの抜け止めがなされている。
【００１６】
また、開閉レバー３９ａ，３９ｂが、回転シリンダー４の回転軸方向両端に設けたそれぞれ８ヶ所の穴４ｃから回転軸方向に摺動自在に挿入されている。このとき開閉レバー３９ａ，３９ｂは径方向の内側に開閉レバー３９ａが、外側に開閉レバー３９ｂが円周方向に交互に挿入されている。また開閉レバー３９ａ，３９ｂの外側端部と回転シリンダー４との間には開閉レバー３９ａ，３９ｂを常に付勢するための板ばね３７０が設けられている。可動爪５ａに設けた突片５ｃが開閉レバー３９ａ，３９ｂに設けた溝３９２ａ，３９２ｂに嵌め込まれるが、図１０に示すように、各開閉レバー３９ａ，３９ｂには２枚の可動爪５ａの突片５ｃが嵌め込まれる。
【００１７】
このようにアセンブリとして組み立てられた複数の脱毛用主体ユニット３２を回転シリンダー４の各凹部４ａに嵌め込み、各列毎に交互に開閉レバー３９ａ，３９ｂに可動爪５ａの突片５ｃを開閉レバー３９ａ，３９ｂに設けた溝３９２ａ，３９２ｂに嵌め込ませて組み込まれている。
【００１８】
一方、回転シリンダー４用の軸５６ｊを受けている基台８，９には、図４に示すローラ型のカム２９が軸２９ｊによって回転自在に取り付けられている。軸２９ｊの両端が保持ばね３０で一定の荷重で付勢されている上記カム２９は、回転シリンダー４が回転する時、回転シリンダー４の周方向に並んでいる複数本の開閉レバー３９ａ，３９ｂの上記端部を順次押して板ばね３７０に抗して回転シリンダー４の軸方向に動かすことで、可動爪５ａを揺動させて、可動爪５ａと固定爪３６とからなる脱毛爪を閉じさせる。回転シリンダー４をその軸回りに回転させることで可動爪５ａを揺動させれば、可動爪５ａと固定爪３６で毛を扶持亜して回転シリンダー４の回転に伴って引き抜く動作を行うことになる。
【００１９】
上記脱毛ヘッド１Ｈは基台カバー９２に設けたフック９２ａが前記モータケース１２に取り付けられたスライド枠２６の角穴２６ｃ内に挿入されてフック２６ａによって本体ケーシング１に固定される。スライド枠２６を押し込めば、フック２６ａがフック９２ａから外れることから、脱毛ヘッド１Ｈを本体ケーシング１から外すことができる。
【００２０】
基台カバー９２は脱毛ケーシング３に設けた凹部に内蔵されて凹部に設けられた開口部３ａから基台カバー９２に設けたフック９２ａが突出する。また基台カバー９２には略中央部に回転入力部１５を突出させるための穴９２ｂを設けている。歯車基台９１の中央の穴９１ａに挿通されるともに支持されている軸１５ｊの一端に回転入力部１５を取り付けている。また軸１５ｊの歯車基台８１側にピニオン１６が圧入固定されている。ピニオン１６は歯車基台８１，９１に軸１７ｊによって軸支された駆動ギア１７と噛み合い、駆動ギア１７と一体のフェイスギア１７ａが基台８，９に軸１８ｊで軸支された中間ギア１８と噛み合い、さらに中間ギア１８が回転シリンダー４に設けたギア４１ｇと噛み合っている。歯車基台８１に設けた角孔８１ａは中間ギア１８の一部を基台８１，９１間に突出させるためのものである。また歯車基台８１，９１は回転シリンダー４とは反対側の面よりねじで固定されている。
【００２１】
さらに、歯車基台８１内には偏芯カム１９と一体のフェイスギア１９ａが配されていて、フェイスギア１９ａは中間ギア１８に一体に設けた小歯車１８ａと噛み合っている。上記偏芯カム１９は基台９の下面に設けた角型の凹部９ａに係合して基台８，９と回転シリンダー４とを回転シリンダー４の回転軸方向に往復動させる。これは脱毛効率を上げるためである。なお、基台８，９はねじによって連結固定されているとともに、基台９に設けた４箇所の穴９ｂに、歯車基台８１に設けた軸８９ｊが祖鬱挿通されることで、基台８１，９１の上記往復動を許した状態で歯車基台８１に連結されている。
【００２２】
釦基台６はばね２７によって外側に向けて付勢される着脱釦２８が取り付けられるもので、中央開口部に回転シリンダー４及び基台８，９を位置させる基台カバー９２にねじ止めされている。このとき着脱釦２８の面２８ａは基台カバー９２の長手方向に設けたリブ９２ｃによって上方への抜け止めをしている。
【００２３】
歯車基台９１の下面と基台カバー９２との間にはフロートばね９３が設けられていて、歯車基台９１に設けたリブ９１ｂと基台カバー９２に設けた円形の凹部に嵌め込まれてずれないようにされている。また歯車基台８１の長手方向にもばね８９が基台カバー９２との間に設けられている。脱毛ヘッド１Ｈの脱毛ケーシング３と基台カバー９２と釦基台６及びカバーフレーム３１に対して、歯車基台９１，８１と基台８，９及び回転シリンダー４は、上記フロートばね９３によって回転シリンダー４を肌に押し付ける方向についてフロート支持されている。
【００２４】
脱毛ヘッド１Ｈを本体ケーシング１に前述のように取り付けてモータ１１を回転させたならば、モータ１１の回転は前記回転係合部１３から脱毛ヘッド１Ｈ側の回転入力部１５に伝えられ、そしてピニオン１６からギア列を経て、つまりは駆動ギア１７と中間ギア１８を経て回転シリンダー４がその軸回りに回転駆動される。回転シリンダー４を肌に押し付けるとフロートばね９３に抗して回転シリンダー４や基台８，９や歯車基台８１，９１が沈んで押し付け荷重を一定にするが、このとき本体ケーシング１の回転係合部１３と脱毛ヘッド１Ｈの回転入力部１５とは回転軸方向にスライド自在であるとともに軸方向において隙間Ｓが設けられているために、そしてスライド自在である回転軸方向が回転シリンダー４と基台８，９と歯車基台８１，９１とがフロートばね９３によってフロートする方向と同じであるために、回転係合部１３から回転入力部１５への駆動伝達が常に確保される。ばね８９は脱毛動作時に回転シリンダー４の軸方向に発生する振動が脱毛ケーシング３に伝わることを防ぐ。
【００２５】
また、前述のように上記中間ギア１８と一体の小歯車１８ａに偏芯カム１９と一体のフェイスギア１９ａが噛み合っているために、基台９の凹部９ａに係合する偏芯カム１９も回転して、基台８，９と回転シリンダー４を回転シリンダー４の軸方向に往復動させる。
【００２６】
このような構成となっていることから、本体を小型にできるだけでなく騒音、振動も小さくすることができる。またフロートにより肌への追従性も良くすることができるため、脱毛効率も上げることができる。
【００２７】
図１１は他例を示しており、ここでは脱毛ヘッド１Ｈの回転入力部１５を有する軸１５ｊに圧入固定されたギア１５ｇを設け、軸１５ｊを歯車基台９１，８１にに対して軸方向に移動自在としてある。回転シリンダー４と共に基台８，９と歯車基台８１，９１がフロートすると、ギア１５ｇに噛み合う駆動ギア１７はギア１５ｇにフロート方向に摺接して回転を伝達する。
【００２８】
【発明の効果】
以上のように本発明においては、脱毛ヘッド内において回転シリンダーやギア列やこれらを支持する基台をフロート支持しているために、振動や騒音を小さくすることができ、またモータは脱毛ヘッドが着脱自在となっている本体側に設けており、モータもフロート支持するものではないために、モータもフロート支持するものに比して小型化することができる。
【００２９】
また、回転シリンダーを肌に押し付ける方向にフロート支持していることから、肌への密着性も良くなり、押付荷重による負荷変動も少なくすることができるので、駆動負荷を小さくでき、振動や騒音をさらに小さくすることができる。
【００３０】
また、回転シリンダーや輪列を支持している基台をばねで付勢することでフロート支持していることから、フロート支持を簡単な構成で得ることができ、脱毛ヘッドも小型化することができる。
【００３１】
しかも、本体側のモータから脱毛ヘッドへの回転伝達は、上記フロート方向である軸方向に摺動自在に係合する部分、あるいは軸方向に摺動自在に噛み合っている部分を介して行っているために、フロートしないモータからフロートする回転シリンダーへの回転伝達に支障が生じることはない。
【図面の簡単な説明】
【図１】本発明の実施の形態の一例の縦断面図である。
【図２】同上の横断面図である。
【図３】同上の本体ケーシングの分解斜視図である。
【図４】同上の脱毛ヘッドの部分分解斜視図である。
【図５】同上の脱毛ヘッドの部分分解斜視図である。
【図６】同上の脱毛ヘッドの部分分解斜視図である。
【図７】同上の回転シリンダーの分解斜視図である。
【図８】同上の回転シリンダーの分解斜視図である。
【図９】同上の脱毛主体ユニットの分解斜視図である。
【図１０】同上の回転シリンダーの縦断面図である。
【図１１】他の脱毛ヘッドを装着した状態の縦断面図である。
【符号の説明】
１ 本体ケーシング
１Ｈ 脱毛ヘッド
９３ フロートばね
【図１】
0003931713.tif 000002
【図２】
0003931713.tif 000003
【図３】
0003931713.tif 000004
【図４】
0003931713.tif 000005
【図５】
0003931713.tif 000006
【図６】
0003931713.tif 000007
【図７】
0003931713.tif 000008
【図８】
0003931713.tif 000009
【図９】
0003931713.tif 000010
【図１０】
0003931713.tif 000011
【図１１】
0003931713.tif 000012